(57)【要約】【課題】  窓の開閉も検知できるガラス破壊検出器を提供する。【解決手段】  ガラス破壊検知部１は、ガラス板Ｇの振動を電圧信号に変換する振動センサ部１１と、電圧信号を増幅する増幅部１２と、増幅した電圧信号から抽出した所定の周波数成分の振幅を閾値と比較してガラス破壊を検知すると警報信号をＣＰＵ３へ出力する振動解析部１３とから構成され、ＣＰＵ３は警報信号が入力されると出力部４でガラス破壊の警報を報知する。開閉検知部２は、窓の開口枠の縦枠材１００に取り付けたマグネットＭと、マグネットＭの磁気を検知することで窓の開閉を検知するリードスイッチ２１とで構成され、窓閉時にはマグネットＭとリードスイッチ２１とが近接、対向してリードスイッチ２１がオンする。対して、窓開時にはリードスイッチ２１がマグネットＭから遠ざかる方向に移動するので、リードスイッチ２１はオフする。【選択図】図１
2005078500.tif 000002
【特許請求の範囲】
【請求項１】
建物において窓のガラス板に取り付けられるハウジングと、前記ハウジングに固定されて前記ガラス板の振動を検知する振動検知手段と、前記振動検知手段の信号により警報を出力する報知手段と、造営物若しくは引き違いに構成された窓に取り付けたマグネットの磁気を検知することで窓の開閉状態を検知する開閉検知手段とを備えることを特徴とするガラス破壊検出器
【請求項２】
前記報知手段の報知信号を外部に送信する無線送信手段を備えることを特徴とする請求項１記載のガラス破壊検出器。
【請求項３】
窓の開閉時にハウジングよりも先に造営物若しくは引き違いに構成された窓に直接当接するストッパーを設けることを特徴とする請求項１または２記載のガラス破壊検出器。
【請求項４】
前記振動検知手段は、前記開閉検知手段が出力する窓の閉状態の検知信号によって検知動作を開始し、前記開閉検知手段が出力する窓の開状態の検知信号によって検知動作を停止することを特徴とする請求項１乃至３いずれか記載のガラス破壊検出器。
【発明の詳細な説明】
【技術分野】
【０００１】
本発明は、室内外を仕切るガラス板に取り付けられガラス板の破壊を検知するガラス破壊検出器に関するものである。
【背景技術】
【０００２】
従来から、窓ガラスやガラス扉など室内外を仕切るガラス板に取り付けられ、室内に侵入しようとする者（以下、侵入者）がガラス板を破壊したときにこれを検知して音や光によって報知する防犯用のガラス破壊検出器が提供されている。この種のガラス破壊検出器は、振動検知手段としてガラス板の振動を電圧信号に変換する振動センサを用い、振動センサの出力信号から抽出した所定の周波数成分について閾値と比較することでガラス破壊を検知しており、ガラス破壊を検知すると警報を出力する。（例えば、特許文献１参照）
【特許文献１】特開２０００−４８２６８号公報（段落番号［００２６］、［００２７］、図１乃至図５）
【発明の開示】
【発明が解決しようとする課題】
【０００３】
しかし、上記従来例ではガラスの破壊は検知できても、窓の開閉は検知できないものであり、窓の開閉検知装置が別に必要であった。
【０００４】
本発明は、上記事由に鑑みてなされたものであり、その目的は、窓の開閉も検知できるガラス破壊検出器を提供することにある。
【課題を解決するための手段】
【０００５】
請求項１の発明は、建物において窓のガラス板に取り付けられるハウジングと、前記ハウジングに固定されて前記ガラス板の振動を検知する振動検知手段と、前記振動検知手段の信号により警報を出力する報知手段と、造営物若しくは引き違いに構成された窓に取り付けたマグネットの磁気を検知することで窓の開閉状態を検知する開閉検知手段とを備えることを特徴とする。
【０００６】
この発明によれば、１つの検出器でガラスの破壊を検知するだけでなく、窓の開閉を検知することができる。
【０００７】
請求項２の発明は、請求項１において、前記報知手段の報知信号を外部に送信する無線送信手段を備えることを特徴とする。
【０００８】
この発明によれば、離れた場所でガラス破壊を報知でき、ユーザが警報に気付き易くなる。さらに、ガラスが破壊された場所で大音量で鳴動させて報知する必要がなく、近所迷惑にならない。
【０００９】
請求項３の発明は、請求項１または２において、窓の開閉時にハウジングよりも先に造営物若しくは引き違いに構成された窓に直接当接するストッパーを設けることを特徴とする。
【００１０】
この発明によれば、窓の開閉時の破損を防ぐことができる。
【００１１】
請求項４の発明は、請求項１乃至３いずれかにおいて、前記振動検知手段は、前記開閉検知手段が出力する窓の閉状態の検知信号によって検知動作を開始し、前記開閉検知手段が出力する窓の開状態の検知信号によって検知動作を停止することを特徴とする。
【００１２】
この発明によれば、窓開時にはガラス破壊検知動作を停止させて、電力消費を抑制することができる。
【発明の効果】
【００１３】
以上説明したように、本発明では、１つの検出器でガラスの破壊だけでなく、窓の開閉も検知することができるという効果がある。
【発明を実施するための最良の形態】
【００１４】
以下、本発明を実施するための最良の形態を図面に基づいて説明する。
【００１５】
（実施形態１）
本実施形態のガラス破壊検出器は図２に外観、図３に窓への取り付け状態を示し、窓のガラス板Ｇに両面粘着シート等によって取り付けられる函型成形品のハウジングＡ内に固定されてガラス板Ｇの振動を検知する接触式のガラス破壊検知部１と、窓の開閉を検知する開閉検知部２とを備えて、ガラス破壊検知部１の出力信号に基づいてガラス破壊を検知すると、ハウジングＡの前面に穿設したスピーカ孔５を介して警報音を鳴動させる等の報知動作を行い、侵入者によるガラス破壊に対して警報報知するとともに、開閉検知部２の出力信号に基づいて窓の開閉を検知、報知する。
【００１６】
図１はガラス破壊検出器の回路構成を示しており、ガラス破壊検知部１、開閉検知部２からの各信号はＣＰＵ３に入力され、ＣＰＵ３は、クロック部６からのクロック信号に同期して動作し、各入力信号に基づいて出力部４に報知信号を出力して、出力部４は報知信号に応じた報知動作を行う。出力部４は、ＬＥＤ等の表示部、ブザー等の警報音をスピーカ孔５を介して鳴動させる鳴動部、外部の警報装置へ報知信号を出力する外部出力部等で構成される。電源部７は電池で構成され、本器の各部へ電源を供給している。
【００１７】
ガラス破壊検知部１は、ガラス板Ｇの振動を電圧信号に変換する超音波マイク等の振動センサ部１１と、電圧信号を増幅する増幅部１２と、増幅した電圧信号から抽出した所定の周波数成分（例えば２００ｋＨｚ）の振幅を閾値と比較してガラス破壊を検知し、ガラス破壊を検知すると警報信号をＣＰＵ３へ出力する振動解析部１３とから構成され、ＣＰＵ３は警報信号が入力されると出力部４に報知信号を出力し、出力部４でガラス破壊の警報を報知する。このとき、出力部４に無線送信手段を設けて、報知信号を無線信号（電波、赤外線等）で送信すれば、外部の離れた場所に設置した警報装置で報知信号を受信してガラス破壊を報知でき、ユーザが警報に気付き易くなるとともに、ガラスが破壊された場所で大音量で鳴動させて離れた場所にいるユーザに報知する必要がなく、近所迷惑にもならない。
【００１８】
開閉検知部２は、窓の開口枠の縦枠材１００に取り付けたマグネットＭと、ハウジングＡ内の一方（窓の閉方向側）の側部に設けられてマグネットＭの磁気を検知することで窓の開閉を検知するリードスイッチ２１とで構成され、窓閉時にはマグネットＭとリードスイッチ２１とが近接、対向してリードスイッチ２１がオンする。対して、窓開時にはリードスイッチ２１がマグネットＭから遠ざかる方向に移動するので、リードスイッチ２１はオフする。この窓の開閉状態はＣＰＵ３に入力され、出力部４を介して報知される。
【００１９】
なお、窓が引き違いに構成された場合は、対向する窓にマグネットＭを取り付けて窓の開閉検知を行ってもよい。
【００２０】
（実施形態２）
本実施形態のガラス破壊検出器は図４に示すように、ハウジングＡの他方（窓の開方向側）の側面（マグネットＭとの対向面とは反対面）にストッパＳを設けたもので、他の構成は実施形態１と同様であり、同様の構成には同一の符号を付して説明は省略する。ストッパＳは窓の開時に、開口枠、引き違いに構成された窓、造営物等にハウジングＡより先に当接してハウジングＡが直接衝突しないようにするとともに、衝突時の衝撃を吸収する材質で形成されており、ガラス破壊検出器の破損を防止している。
【００２１】
また、図５に示すように、ストッパＳをハウジングＡとは別体として、ガラスＧを嵌め込んだ窓枠（下枠）２００に、その一端がハウジングＡの側面より窓の開方向側に突出するように取り付けてもよい。
【００２２】
（実施形態３）
本実施形態のガラス破壊検出器は、実施形態１と同様に図１〜図３に示されるが、窓の開閉状態を検知する開閉検知部２の信号をガラス破壊検知部１への電源供給のトリガ信号として用いる点が異なる。
【００２３】
具体的には、窓閉時にマグネットＭとリードスイッチ２１とが近接、対向してリードスイッチ２１がオンし、リードスイッチ２１のオン信号を入力されたＣＰＵ３は、電源部７からガラス破壊検知部１への電源供給を行うよう制御してガラス破壊検知を行う警戒モードとなり、ガラス破壊を検知すると出力部４に報知信号を出力してガラス破壊の警報報知を行う。対して、窓開時にリードスイッチ２１のオフ信号を入力されたＣＰＵ３は、電源部７からガラス破壊検知部１への電源供給を停止し、ガラス破壊検知動作を停止させる。すなわち、窓開時にはガラス破壊検知動作を停止させることによって、電源部７の電池の電力消費を抑制し、電池の長寿命化を図っている。
【００２４】
なお、実施形態１と同様の構成には同一の符号を付して説明は省略する。また、本実施形態の構成は実施形態２にも適用できる。
【図面の簡単な説明】
【００２５】
【図１】本発明の実施形態１のガラス破壊検出器の回路構成を示す図である。
【図２】同上の外観を示す図である。
【図３】同上の取付状態を示す図である。
【図４】本発明の実施形態２のストッパーを一体に備えたガラス破壊検出器を示す図である。
【図５】同上のストッパーを別体に備えたガラス破壊検出器を示す図である。
【符号の説明】
【００２６】
Ａ  ハウジング
１  ガラス破壊検知部
２  開閉検知部
３  ＣＰＵ
４  出力部
１１  振動センサ部
１２  増幅部
１３  振動解析部
２１  リードスイッチ
Ｍ  マグネット
【図１】
2005078500.tif 000003
【図２】
2005078500.tif 000004
【図３】
2005078500.tif 000005
【図４】
2005078500.tif 000006
【図５】
2005078500.tif 000007